(57)【特許請求の範囲】
【請求項１】
鞄本体（１）の上面（１ａ）から背面（１ｂ）及び対向する側面（１ｃ、１ｃ）に到る窪み部（Ｓ）が形成され、この窪み部（Ｓ）の両側端にハンドル（３）のグリップ（３ａ）の両端にそれぞれ垂下させた伸縮ロッド（３ｂ、３ｂ）の挿入孔（４、４）を設け、これら挿入孔（４、４）の一方に対応する通孔（５）を設けた表面当て板（６、６）で、前記窪み部（Ｓ）の両側端部（Ｓ1 、Ｓ1 ）をそれぞれ被覆したキャリ−バッグであって、前記窪み部（Ｓ）を、略１／４円柱の円周面を下方に向けた形状にしたことを特徴とするキャリ−バッグ。
【発明の詳細な説明】
【技術分野】
【０００１】
この発明は、押したり、引いて鞄を移動させるための伸縮自在のハンドルを備えたキャリーバッグに関するものである。
【背景技術】
【０００２】
従来、この種のキャリーバッグとしては、例えば図３に示したように、鞄本体２１に伸縮自在としたハンドル２２を取り付けている。このハンドル２２は、伸縮ロッド２２ａを収縮した状態で、鞄本体２１に収納できるように、伸縮ロッド２２ａの下部を鞄本体２１内部に配設して、グリップ２２ｂを鞄本体２１の上面２１ａに配置している。鞄本体２１は、収納されたハンドル２２のグリップ２２ｂを掴みやすいように、鞄本体２１の上面２１ａの背面２１ｂ側の中央部に挿入凹部２３を設けており、この挿入凹部２３にグリップ２２ｂを収納するようにしている。
【０００３】
そして、前記鞄本体２１の上面２１ａに設けた挿入凹部２３は、図４に示したように、鞄本体２１の上面２１ａから背面２１ｂにかけて大きな孔２４を形成したものとし、この孔２４に、ハンドル２２の伸縮ロッド２２ａの挿入孔を設けた当て部材２５を嵌め込んだものとしている。
【０００４】
さらに、前記鞄本体２１には、底面２１ｃの四隅に自由な方向に走行自在としたキャスター２６を設けたものとしている（特許文献１）。
【０００５】
このように構成した従来のキャリーバッグは、底面２１ｃの四隅に設けたキャスター２６で鞄本体２１を自立させる状態としたり、鞄本体２１を背面２１ｂに傾かせて、ハンドル２２を押したり、引いて移動させるようにしている。
【特許文献１】特開２００７−１５９７３５号公報（第７、８頁、図４、５）
【発明の開示】
【発明が解決しようとする課題】
【０００６】
しかしながら、上記従来のキャリーバッグでは、鞄本体２１の上面２１ａから背面２１ｂにかけて形成した大きな孔２４は、当て部材２５によって補強をされてはいるものの、大きな孔２４を形成することによって鞄本体２１の強度は大幅に低下する。そのため、鞄本体２１を別に補強したりする必要が生じ、その補強作業に手間がかかったり、その補強によって鞄本体２１が重くなるという問題点を有していた。
【０００７】
さらに、上記従来のキャリーバッグでは、前記当て部材２５に設けた挿入孔に伸縮ロッド２２ａを挿入しているため、伸縮ロッド２２ａ間の間隔が狭く、グリップ２２ｂも短いものとなっているので、このグリップ２２ｂを握って鞄本体２１を押したり、引いて移動させるには、鞄本体２１のバランスが取りにくかったり、グリップ２２ｂが握りにくかったりして、鞄本体２１を安定した状態でスムーズに移動させることができないことがあるという問題点を有していた。
【０００８】
また、上記従来のキャリーバッグでは、鞄本体２１内部に配設された伸縮ロッド２２ａは、背面２１ｂ側の中央に位置しているため、この伸縮ロッド２２ａが鞄本体２１内部の中央部に出っ張ってしまい、鞄本体２１内部に物を収納する場合に邪魔になることがあるという問題点を有していた。
【０００９】
そこで、この発明は、上記従来の問題点を解決するものであり、鞄本体の強度を低下させることなく、ハンドルを取り付けることができ、伸縮ロッド間の間隔を広く、グリップも長いものとして、鞄本体のバランスが取り易く、グリップも握り易いものとし、しかも伸縮ロッドが鞄本体内部の中央部に出っ張ることのないキャリーバッグを提供することを目的としてなされたものである。
【課題を解決するための手段】
【００１０】
そのため、この発明のキャリーバッグは、鞄本体１の上面１ａから背面１ｂ及び対向する側面１ｃ、１ｃに到る窪み部Ｓが形成され、この窪み部Ｓの両側端にハンドル３のグリップ３ａの両端にそれぞれ垂下させた伸縮ロッド３ｂ、３ｂの挿入孔４、４を設け、これら挿入孔４、４の一方に対応する通孔５を設けた表面当て板６、６で、前記窪み部Ｓの両側端部Ｓ1 、Ｓ1 をそれぞれ被覆したものとし、前記窪み部Ｓを、略１／４円柱の円周面を下方に向けた形状にしたものとしている。
【発明の効果】
【００１４】
この発明のキャリーバッグは、以上に述べたように構成されているため、鞄本体の強度を低下させることなく、ハンドルを取り付けることができるので、鞄本体を別に補強したりする必要はなく、その補強に要する手間がかかったり、鞄本体が重くなるということもない。
【００１５】
さらに、この発明のキャリーバッグは、伸縮ロッド間の間隔が広く、グリップも長いものとなるので、鞄本体のバランスが取りにくかったり、グリップが握りにくかったりすることがなく、鞄本体を安定した状態でスムーズに移動させることができるものとなる。
【００１６】
また、この発明のキャリーバッグは、伸縮ロッドが鞄本体内部の中央部に出っ張ることがなく、鞄本体内部に物を収納する場合に、この伸縮ロッドが邪魔になることのないものとなる。
【発明を実施するための最良の形態】
【００１７】
以下、この発明の実施の形態を、図面に基づいて詳細に説明する。
【００１８】
この発明のキャリーバッグは、図に示したような、箱形状とした鞄本体１の上面１ａの略中央部には鞄を提げて移動させるためのハンドル２を設けたものとし、鞄本体１の上面１ａの背面１ｂ側には鞄を押したり、引いて移動させるための伸縮自在としたハンドル３を設けたものとし、さらに鞄本体１の底面の四隅には自由な方向に走行自在としたキャスター（図示せず）を設けたものとしている。そして、このキャリーバッグは、これらキャスターで鞄本体１を自立させた状態としたり、鞄本体１を背面１ｂ側に傾かせて、前記ハンドル３を押したり引いて、移動させるようにしている。
【００１９】
前記ハンドル２は鞄本体１の上面１ａの平面部Ｆに取り付けられており、ハンドル３は鞄本体１の上面１ａの窪み部Ｓに取り付けられている。この窪み部Ｓは鞄本体１の上面１ａから背面１ｂ及び対向する側面１ｃ、１ｃに到るように形成されており、この窪み部Ｓの両側端にハンドル３のグリップ３ａの両端にそれぞれ垂下させた伸縮ロッド３ｂ、３ｂの挿入孔４、４を設け、これら挿入孔４、４の一方に対応する通孔５を設けた表面当て板６、６で、前記窪み部Ｓの両側端部Ｓ1 、Ｓ1 をそれぞれ被覆したものとしている。したがって、前記ハンドル３の伸縮ロッド３ｂ、３ｂは鞄本体１内部の角部に配設されることになる。
【００２０】
前記窪み部Ｓは、図示したように略１／４円柱の円周面を下方に向けた形状にしたり、図示していないが略三角柱形状や略四角柱形状等にすることができる。前記窪み部Ｓを図示したような略１／４円柱の円周面を下方に向けた形状にした場合には、図２に示したように、伸縮ロッド３ｂ、３ｂを収縮させたときにグリップ３ａが窪み部Ｓ内に程よく納まり、またグリップ３ａを手で掴む場合に円周面に指を滑らせるようにしてグリップ３ａを掴めば、そのグリップ３ａが掴み易いものとなる。
【００２１】
前記表面当て板６は、前記窪み部Ｓの表側に当接する当て面６ａに、鞄本体１の上面１ａの表側の平面部Ｆに当接する当て面６ｂ、鞄本体１の背面１ｂの表側に当接する当て面６ｃ、及び鞄本体１の側面１ｃ、１ｃの表側に当接する当て面６ｄ、６ｄを連設したものとし、前記窪み部Ｓの表側の両側端部Ｓ1 、Ｓ1 及びその近辺の角部を被覆するようにしている。このようにすると、前記窪み部Ｓの表側の両側端部Ｓ1 、Ｓ1 の近辺の角部までも被覆されることになるので、表面当て板６によって鞄本体１が補強されるものとなる。
【００２２】
さらに、この発明のキャリーバッグは、前記挿入孔４、４に対応する通孔７、７を設けた裏面当て板８を、前記窪み部Ｓにその裏側から当て、前記鞄本体１及び表面当て板６に止着したものとしている。この裏面当て板８は、前記窪み部Ｓの裏側に当接する当て面８ａに、鞄本体１の上面１ａの裏側の平面部Ｆに当接する当て面８ｂ、及び鞄本体１の側面１ｃ、１ｃの裏側に当接する当て面８ｄ、８ｄを連設したものとし、前記窪み部Ｓの裏側の全体及びその近辺を被覆するようにしている。このようにすると、前記窪み部Ｓの裏側の近辺までも被覆されることになるので、裏面当て板８によって鞄本体１が補強されるものとなる。
【００２３】
そして、この発明のキャリーバッグにおいて、前記裏面当て板８を前記鞄本体１及び表面当て板７に止着するには、例えば図２に示したように、表面当て板７の当て面６ｂの下方にボス１１を設け、鞄本体１の上面１ａの両端に設けた止着孔１２、１２及びこれら止着孔１２、１２に対応する位置に設けた裏面当て板８の止着孔１３、１３に、前記ボス１１が嵌まり込むようにすればよい。
【００２４】
このように構成されたこの発明のキャリーバッグは、前記鞄本体１にハンドル３を設ける場合に、従来のように鞄本体１に大きな孔を形成することがないので、鞄本体１の強度を低下させることはない。したがって、鞄本体１を別に補強したりしなくてもよいので、その補強作業に手間がかかったり、鞄本体１が重くなったりすることもない。
【００２５】
さらに、この発明のキャリーバッグは、前記鞄本体１に設けたハンドル３の伸縮ロッド３ｂ、３ｂ間の間隔が広くなり、グリップ３ａも長いものとなる。したがって、このグリップ３ａを押したり、引いたりすれば、鞄本体１を安定した状態でスムーズに移動させることができるものとなる。
【００２６】
しかも、この発明のキャリーバッグは、前記ハンドル３の伸縮ロッド３ｂ、３ｂは鞄本体１内部の角部に配設されるので、この伸縮ロッド３ｂ、３ｂが鞄本体１内部の角部に出っ張っても、鞄本体１内部の物を収納する場合に邪魔になるようなことはないものとなる。
【図面の簡単な説明】
【００２７】
【図１】この発明のキャリーバッグの主要部の分解斜視図である。
【図２】この発明のキャリーバッグの主要部の斜視図である。
【図３】従来のキャリーバッグの斜視図である。
【図４】従来のキャリーバッグの主要部の分解斜視図である。
【符号の説明】
【００２８】
１  鞄本体
１ａ  上面
１ｂ  背面
１ｃ  側面
３  ハンドル
３ａ  グリップ部
３ｂ  伸縮ロッド
４  挿入孔
５  通孔
６  表面当て板
６ａ  当て面
６ｂ  当て面
６ｃ  当て面
６ｄ  当て面
７  通孔
８  裏面当て板
Ｆ  平面部
Ｓ  窪み部
【図１】
0004761225.tif 000002
【図２】
0004761225.tif 000003
【図３】
0004761225.tif 000004
【図４】
0004761225.tif 000005